(57)【要約】      （修正有）【課題】開口部の下部床躯体に溝が直交配置されている場合で、浸水防水装置を配設する際に、防水パネルの下部を支持する下枠と溝との間に隙間を生じさせることなく外部からの高水圧による洩流侵入を確実に防止する浸水防水装置を提供する。【解決手段】溝２０１を交差配置した下部床躯体３０１と、下部床躯体の両側に配置の下部躯体とにより開口部を形成し、開口部に装着した浸水防水装置であって、浸水防水装置は、両側部躯体に配置した両側枠と、下部床躯体の溝の両側方に配置した下枠１０３と、両側枠及び下枠並びに軌条２０２の頭頂部に締め込みハンドルで圧着装着した防水パネル本体１０７とからなり、下部床躯体の軌条直交部の溝において、溝内両側面間に閉塞板４０１、４０２を装填固定し、閉塞板の反浸水側に閉塞板を支持するストッパー４３、４４を有する受け金具を装着して密閉した。【選択図】図２−３
0003226960.tif 000002
【実用新案登録請求の範囲】
【請求項１】
溝を直交配置した下部床躯体と、前記下部床躯体の両側に配置の下部躯体とにより開口部を形成し、前記開口部に浸水防水装置を装着し、前記浸水防水装置は、前記両側部躯体に配置した両側枠と、前記下部床躯体の前記溝の両側方に配置した下枠と、前記両側枠及び前記下枠並びに前記下枠に締め込みハンドルで圧着装着した防水パネル本体とからなり、前記下部床躯体の前記溝部において、溝内両側面間に閉塞板を装填固定し、前記閉塞板の反浸水側に閉塞板を支持する受け金具を装着して密閉したことを特徴とする浸水防水装置。
【考案の詳細な説明】
【０００１】  本考案は、下部床躯体に排水溝又は車両用の軌条設置溝等の溝を直交配置した開口部へ設置する浸水防水装置に関する。
【背景技術】
【０００２】  近年，都市部等の一部地域における集中豪雨，洪水等により，ビル，地下鉄，地下街，地下道，地下駐車場等の構造物内にその入口や窓等の開口部から水が急激に流入して浸水し甚大な被害を及ぼしている。【０００３】  このような構造物の開口部に外部からの急激な流入水を防止するには，多大な人力と時間を必要とする旧来からの土嚢の積み上げがある。他に本願の出願人から上記構造物の開口部に設置する浸水防水装置として、可撓性の防水シートを該開口部に幕張する幕張遮断式浸水防水装置（：特許文献１）、横行防水パネルを該開口部に横行作動させて遮断する横行遮断浸水防水装置（：特許文献２、特許文献３）、上方から嵌めこみ防水パネルを降下作動させて該開口部を遮断する下降遮断式浸水防水装置（：特許文献４）、防水シートを工具を使用せずに素早く開口部を遮断し、しかも部品点数が少なく、かつ構造簡単で廉価に提供でき、その上、通常時に該開口部の側部フレームとして使用されているレールカバーを利用して防水カバーを設置できるようにした、防水シート式浸水防水装置（：特許文献５）等が多く開発され紹介されている。【０００４】  これら前記従来の浸水防水装置において、横行遮断浸水防水装置、下降遮断式浸水防水装置などは、防水パネルの下部及び両側部にパッキンシール機構を設け、該開口部の下部躯体及び両側部躯体にパッキンシール機構を介してハンドルで締め込み装着するものである。【０００５】  しかしながら、工場などの開口部で、その下部床躯体に排水溝又は車両用の軌条設置溝等の溝が直交配置又は斜交配置されている場合に、浸水防水装置を配設する場合は、防水パネルの下部を支持する下枠と該溝との間に隙間が生じて浸水してくる。即ち前記開口部において交差する溝部で止水面が切れてしまい浸水防水機能が喪失する。
【先行技術文献】
【特許文献】
【０００６】
【特許文献１】特開２００１−２２７２５５号公報
【特許文献２】特開２００５−３５０９０１号公報
【特許文献３】特開２００８−１５０８２９号公報
【特許文献４】特開２００８−１６９５６１号公報
【特許文献５】特開２０１６−２０６１３号公報
【考案の概要】
【考案が解決しようとする課題】
【０００７】  本考案は、開口部の下部床躯体に前記溝が交差配置されている場合で、浸水防水装置を配設する際に、防水パネルの下部を支持する下枠と溝との間に隙間を生じさせることなく外部からの高水圧による洩流侵入を確実に防止する浸水防水装置を提供する。
【課題を解決するための手段】
【０００８】  上記課題を満足させる本考案における主な技術構成は、次の（１）の通りである。
（１）、溝を交差配置した下部床躯体と、前記下部床躯体の両側に配置の下部躯体とにより開口部を形成し、前記開口部に浸水防水装置を装着し、前記浸水防水装置は、前記両側部躯体に配置した両側枠と、前記下部床躯体の前記溝の両側方に配置した下枠と、前記両側枠及び前記下枠並びに前記軌条の頭頂部に締め込みハンドルで圧着装着した防水パネル本体とからなり、前記下部床躯体の軌条直交部の前記溝において、溝内両側面間に閉塞板を装填固定し、前記閉塞板の反浸水側に閉塞板を支持する受け金具を装着して密閉したことを特徴とする浸水防水装置。
【考案の効果】
【０００９】  本考案の浸水防水装置は、開口部の下部床躯体に前記溝が交差配置されている場合で、浸水防水装置を配設する際に、防水パネルの下部を支持する下枠と溝との間に隙間を生じさせることなく外部からの高水圧による洩流侵入を確実に防止するものであるとは。
本考案において溝とは、排水溝又は車両用の軌条設置溝等の溝を言う。
【図面の簡単な説明】
【００１０】
【図１】上向き溝内に配置した軌条を直交配置した下部床躯体と、前記下部床躯体の両側に配置の下部躯体とにより開口部を形成し、前記開口部に浸水防水装置を装着した状態を示す平面説明図（１）と、一部断面の正面説明図（２）である。
【図２−１】上向き溝内に配置した軌条を直交配置した下部床躯体において軌条交差部に受け金具の基部を装着した状態を示す斜視説明図である。
【図２−２】図２−１の状態の受け金具の基部にストッパーを取り付ける方法と、そのストッパー浸水側に閉塞板を取り付けた状態を示す斜視説明図である。
【図２−３】図２−２の状態から完成状態を示す斜視説明図である。
【図３−１】図２−３の状態の開口部に防水パネル組み立てタイプの浸水防水装置の一部の防水パネルとの関係でセットする過程状況を示す斜視説明図である。
【図３−２】図３−１の状態から当該一部の防水パネルをセット完了した状態を示す斜視説明図である。
【図４】溝を排水溝にした例を示す斜視説明図である。
【考案を実施するための形態】
【００１１】  考案を実施するための形態を図１〜図３に示す実施例により詳細に説明する。
【実施例】
【００１２】  本例は、溝は車両用の軌条設置溝でありこれを開口部の下部床躯体３０１に直交させた例である。
図１に示すように、本例の浸水防水装置１００は、上向きコ字型等の溝２０１内に配置した車両用の軌条２０２を直交配置した下部床躯体３０１と前記下部床躯体３０１の両側に配置の両側部躯体３０３，３０４と中間支持枠体３０２により形成した開口部３００に設置する。
前記浸水防水装置１００は、前記両側部躯体３０３，３０４に配置した両側枠１０１，１０２と、前記下部床躯体３０１の溝２０１の両側方に配置した下枠１０３，１０４と、前記両側枠１０１，１０２及び前記下枠１０３並びに前記軌条２０２の頭頂部２０３に締め込みハンドル１０５で圧着装着し且つ連結バックル１０６で多数列及び多数段に連結組立てした防水パネル本体１０７とからなる。【００１３】  図２−１から図２−３に示すように、前記下部床躯体３０１の軌条直交部の溝２０１部において、受け金具４０３，４０４を装着して、この受け金具４０３，４０４の装填ガイド４５，４６により溝内両側壁面２０１ｆと軌条２０２の頭頂面２０２Ｔを除くすべての露出面２０２ｆとの間に各々閉塞板４０１，４０２を装填固定して密閉固定する。【００１４】  受け金具４０３，４０４は、溝２０１の反浸水側でその両側部外側に下部床躯体３０１にアンカー部材４１，４２を螺合接続固定し、このアンカー部材４１，４２の内側に溝２０１の内側壁に突出させたストッパー４３，４４を設けると共にストッパー４３，４４とアンカー部材４１，４２で後部（反浸水側）を挟持支持し前部を溝２０１の内側壁面に添って鍵型に浸水側に広がり延在する閉塞板の装填ガイド４５，４６を装着したものである。ストッパー４３，４４は、前記閉塞板４０１，４０２を反浸水側で支持して浸水側からの高浸水圧による洩流侵入を確実に防止するものである。【００１５】  このように図２−３の状態の開口部に図１に示す防水パネル組み立てタイプの浸水防水装置１００の一部の防水パネル１０７を代表して、図３−１と図３−２に示すように下降セットする。
これにより浸水防水装置１００の最下位の全防水パネル１０７の下端面は、溝２０１の両側部の下枠１０３，１０４の上面、及び閉塞板４０１，４０２の上面並びに軌条２０２の頭頂面２０２Ｔの全てに密着接触して浸水側からの高浸水圧による洩流侵入を確実に防止するものである。【００１６】  本例は防水パネル１０７を下降遮断式の浸水防水装置を例にしたが、この他に前記背景で紹介した横行遮断浸水防水装置などにも適用できることは自明であり、前記実施例と同様な作用効果が得られる。【００１７】  溝の他の例として、排水溝５００を開口部の下部床躯体３０１に直交させた例を図４に示す。図４において、本例は、前例における軌条を単に削除した排水溝５００であり、排水溝５００の内側両面間に設置のストッパー４３，４４間に一体物の閉塞版６００を矢印のごとく装填した例である。その他の部分は前例と同一であり同一符号を付して詳細な説明を省略する。
【産業上の利用可能性】
【００１７】  本考案の浸水防水装置は、前記した優れた作用効果を呈して、構造物の交差溝がある開口部（出入口、広窓等）の浸水危険領域を、迅速確実に遮断し、外部からの急激な流水侵入及び洩流侵入を確実に防止する浸水防水装置であり、あらゆる水災害に対応できるため各種ビル，地下鉄，地下街，地下道，地下駐車場等の構造物の建築産業界における安全な水害対策に貢献すること多大なものがあり水害対策産業上の利用可能性は極めて高い。
【符号の説明】
【００１８】  １００：浸水防水装置                        ２０２ｆ：露出面
１０１，１０２：両側枠                      ２０３：頭頂部
１０２：中間枠                              ３００：開口部
１０３：下枠                                ３０１：下部床躯体
１０５：締め込みハンドル                    ３０３，３０４：両側部躯体
１０７：防水パネル本体                      ４０１，４０２：閉塞板
２０１：上向き溝                            ４０３，４０４：受け金具
２０１ｆ：溝内両側壁面                      ４１，４２：アンカー部材
２０２：軌条                                ４３，４４：ストッパー
２０２Ｔ：頭頂面                            ４５，４６：閉塞板の装填ガイド
【図１】
0003226960.tif 000003
【図２−１】
0003226960.tif 000004
【図２−２】
0003226960.tif 000005
【図２−３】
0003226960.tif 000006
【図３−１】
0003226960.tif 000007
【図３−２】
0003226960.tif 000008
【図４】
0003226960.tif 000009